(57)【特許請求の範囲】
【請求項１】
給水を開始する指示を受けることでサイフォン方式の大便器に給水を開始し、所定の条件を満たすことで自律的に給水を停止する流路開閉装置であって、
給水元に繋がる一次側流路と給水先である大便器へ繋がる二次側流路との間の流路開閉を行う主弁体及び主弁座を有する主バルブと、
前記一次側流路から前記二次側流路へ流れる水の瞬間流量を一定に保つように相互間に形成される流路断面積を調整する定流量弁体及び定流量弁座を有する定流量バルブと、を備え、
前記主弁体及び前記定流量弁体は一体化された弁体部材として形成され、
前記大便器を洗浄するための洗浄水を前記大便器に供給する洗浄水供給段階では、前記弁体部材を後退方向に駆動し、前記主弁体を前記主弁座から離隔させることで前記二次側流路に洗浄水を供給するものであって、
前記弁体部材の駆動量を前記一次側流路からの給水圧に応じて調整することで、洗浄水の瞬間流量を所定流量に保つ洗浄水量調整手段と、
前記大便器の封水を形成するためのリフィル水を前記大便器に供給するリフィル水供給段階では、前記弁体部材を前進方向に駆動することで、前記主弁体を前記主弁座に当接させるリフィル量調整手段を備え、
前記洗浄水量調整手段が前記給水圧に応じて調整する前記弁体部材の駆動量を修正する洗浄水量調整量修正手段と、
前記リフィル量調整手段の調整量を修正するリフィル量調整量修正手段と、を含む調整量修正手段を備えることを特徴とする流路開閉装置。
【請求項２】
前記洗浄水量調整手段は、前記調整量修正手段からの距離を前記一次側流路からの給水圧に応じて変化させることにより、前記弁体部材が後退方向に駆動される際における最大変位量を規制するものであって、
前記調整量修正手段は、前記弁体部材の駆動方向に沿ってその固定位置が調整されるように構成されており、その固定位置の調整によって前記駆動量を修正するものであることを特徴とする、請求項１に記載の流路開閉装置。
【請求項３】
前記調整量修正手段は、流路開閉装置に対して外部から連通した状態で固定されており、前記調整量修正手段の固定位置は外部から調整可能であることを特徴とする、請求項２に記載の流路開閉装置。
【請求項４】
前記調整量修正手段は、その軸方向が前記弁体部材の駆動方向と一致するように配置された螺子部を有しており、
前記螺子部が流路開閉装置に対して螺合した状態で固定されていることを特徴とする、請求項３に記載の流路開閉装置。
【発明の詳細な説明】
【技術分野】
【０００１】
本発明は、便器に洗浄水を供給する流路開閉装置に関する。
【背景技術】
【０００２】
便器に洗浄水を供給する手段として、給水路にフラッシュバルブといった流路開閉装置を設けることが広く行われている。フラッシュバルブは、給水元である一次側流路から水を受け入れて一次側内部流路に送り出す流入口と、二次側内部流路から給水先である二次側流路へ水を送り出す流出口とが形成された本体部と、一次側内部流路と二次側内部流路との間の流路開閉を行う主バルブと、この主バルブを介さずに一次側内部流路と二次側内部流路とを連通するバイパス流路と、バイパス流路の流路開閉を行う副バルブと、を備えるものである。
【０００３】
このように構成されたフラッシュバルブは、操作レバーを押し下げるといった副バルブを開く動作を行うと、バイパス流路が開かれて主バルブを構成する主弁体の背圧が低下し、一次側内部流路内の一次圧（給水圧）によって主弁体が主弁座から引き離されるように押し上げられて主バルブが開放され、流出口から水が二次側流路へと流出される。その後、操作レバーを戻すといった副バルブを閉じる動作を行うか、若しくは自動的に操作レバーが戻って副バルブが閉じられると、バイパス流路が閉じられて主弁体の背圧が上昇する。この主弁体の背圧の上昇に伴って主弁体が主弁座に近づくように降下し、やがて主弁体が主弁座に当接することで主バルブが閉じられる。従って、フラッシュバルブは、給水を開始する指示を受けることで、一定の開度となるように主弁体が主弁座から引き離され、便器に給水を開始し、所定の条件を満たすことで自律的に給水を停止する流路開閉装置として機能するものである。
【０００４】
フラッシュバルブが設置される場所は、給水圧が高いところもあれば、給水圧が低いところもある。従来のフラッシュバルブはその構造上、給水圧の高低によらずに、副バルブを開いた際の主弁体の位置を調整するものであるため、給水圧によってその吐水量が大きくばらつき、無駄水が生じてしまうという問題があった。このため、主弁体の給水量を調整するネジが設けられる場合がある。フラッシュバルブを設置するにあたっては、現場でこのネジを調整し、給水量を調整している。
【０００５】
しかしながら、現場で施工者がネジを回して給水量を調整すると、個々の現場によって調整量が異なることが多く、便器に対する給水量が必ずしも適切なものとならない可能性もある。そこで、下記特許文献１に記載のフラッシュバルブでは、主弁体の上昇位置を規制する上昇位置規制手段と、給水圧を検知する圧力センサーと、圧力センサーの水圧測定値に応じて上昇位置規制手段を制御し、主弁体の上昇規制量を調整する制御手段と、を備えている。
【先行技術文献】
【特許文献】
【０００６】
【特許文献１】特開平６−３３６７５３号公報
【発明の概要】
【発明が解決しようとする課題】
【０００７】
上記特許文献１に記載のフラッシュバルブでは、制御手段が、圧力センサーの検知圧力に応じてモーターを駆動し、上昇位置規制手段を給水圧に応じた位置に調整する。従って、給水圧が変動しても、便器側へ流す水量を一定に制御することが出来る。このように、給水圧が高い場合も低い場合も、便器側に流す水量を一定にすることで、無駄水を低減することが可能なものとなっている。
【０００８】
しかし、上記特許文献１に記載のフラッシュバルブは、圧力センサーによる水圧の検知やモーターの駆動制御のために、電気エネルギーの供給を必要とするものである。省エネルギーの観点からは、電気エネルギーの消費量は少ない方が望ましい。
【０００９】
そこで本発明者らは、給水圧に依存しない所定量の洗浄水を前記大便器に供給するために、流路開閉を行う主バルブとの弁体と、瞬間流量を調整する定流量バルブの弁体とを一つの弁体部材に一体化した上で、かかる弁体部材の駆動量を給水圧に応じて調整する機構を設けることに着目した。給水圧が高い場合は弁体部材の駆動量が小さくなり、定流量バルブを通過する水の流路断面積は小さくなる。一方、給水圧が低い場合は弁体部材の駆動量が大きくなり、定流量バルブを通過する水の流路断面積は大きくなる。その結果、洗浄水の瞬間流量は給水圧に起因するばらつきが抑制され、上記特許文献１に記載のフラッシュバルブのように電気エネルギーを用いた流量制御を必要とせず、給水圧に依存しない所定量の洗浄水を前記大便器に供給することが可能となる。
【００１０】
しかしながら、給水圧に応じて弁体部材の駆動量を調整する機構においては、構成部品の寸法のばらつきに起因して、大便器に供給される洗浄水の水量が設計値から外れてしまうことがある。構成部品の寸法の僅かなばらつきでも洗浄水の瞬間流量を増減させ、大便器に供給される水量、すなわち洗浄水の水量やリフィル水の水量が設計値から大きく外れてしまう可能性がある。
【００１１】
本発明はこのような課題に鑑みてなされたものであり、その目的は、その目的は、大便器に洗浄水を供給する流路開閉装置であって、弁体部の駆動量修正による瞬間流量調整を可能にしながら、これとは独立で、主弁の下降開始位置を修正し、便器の封水を形成するために供給するリフィル水の水量を調整することが可能な流路開閉装置を提供することにある。
【課題を解決するための手段】
【００１２】
上記課題を解決するために本発明に係る流路開閉装置は、給水を開始する指示を受けることでサイフォン方式の大便器に給水を開始し、所定の条件を満たすことで自律的に給水を停止する流路開閉装置であって、給水元に繋がる一次側流路と給水先である大便器へ繋がる二次側流路との間の流路開閉を行う主弁体及び主弁座を有する主バルブと、前記一次側流路から前記二次側流路へ流れる水の瞬間流量を一定に保つように相互間に形成される流路断面積を調整する定流量弁体及び定流量弁座を有する定流量バルブと、を備え、前記主弁体及び前記定流量弁体は一体化された弁体部材として形成され、前記大便器を洗浄するための洗浄水を前記大便器に供給する洗浄水供給段階では、前記弁体部材を後退方向に駆動し、前記主弁体を前記主弁座から離隔させることで前記二次側流路に洗浄水を供給するものであって、前記弁体部材の駆動量を前記一次側流路からの給水圧に応じて調整することで、洗浄水の瞬間流量を所定流量に保つ洗浄水量調整手段と、前記大便器の封水を形成するためのリフィル水を前記大便器に供給するリフィル水供給段階では、前記弁体部材を前進方向に駆動することで、前記主弁体を前記主弁座に当接させるリフィル量調整手段を備え、前記洗浄水量調整手段が前記給水圧に応じて調整する前記弁体部材の駆動量を修正する洗浄水量調整量修正手段と、前記リフィル量調整手段の調整量を修正するリフィル量調整量修正手段と、を含む調整量修正手段を備える。
【００１３】
本発明によれば、一次側流路と二次側流路との間の流路開閉を行うための主弁体と、一次側流路から二次側流路へ流れる水の瞬間流量を一定に保つための定流量弁体とを一体化された弁体部材として構成しているので、コンパクトな構成の流路開閉装置を提供することができる。また、洗浄水量調整手段を備えており、弁体部材の駆動量を一次側流路からの給水圧に応じて調整するため、洗浄水の瞬間流量は給水圧によって変化せず、所定流量に保たれた状態で給水を行うことができる。
【００１４】
このように、洗浄水の瞬間流量は給水圧によっては変化しないが、構成部品の寸法のばらつきにより、制御されるべき瞬間流量が設計値から外れてしまうことがある。構成部品の寸法の僅かなばらつきであっても、大便器に供給される洗浄水の水量が設計値から大きく外れてしまう可能性がある。このため、構成部品の寸法ばらつきを低減することのみによって、かかる現象を完全に防止することは難しい。
【００１５】
そこで本発明では、洗浄水量調整手段が給水圧に応じて調整する弁体部材の駆動量を修正する、洗浄水量調整量修正手段と、リフィル量を調整するリフィル量調整量修正手段を備えている。構成部品の寸法ばらつきによって、洗浄水およびリフィル水の供給量が設計値から外れたような場合であっても、洗浄水量調整量修正手段及びリフィル量調整量修正手段によって、洗浄水およびリフィル水の供給量を調整することが可能となる。従って、無駄水が生じることや、逆に洗浄水およびリフィル水の供給量が不足して封水切れや洗浄不良が生じることが確実に防止される。
【００１６】
本発明に係る流路開閉装置では、前記洗浄水量調整手段は、前記洗浄水量調整量修正手段からの距離を前記一次側流路からの給水圧に応じて変化させることにより、前記弁体部材が後退方向に駆動される際における最大変位量を規制するものであって、前記洗浄水量調整量修正手段は、前記弁体部材の駆動方向に沿ってその固定位置が調整されるように構成されており、その固定位置の調整によって前記駆動量を修正するものであることも好ましい。
【００１７】
この好ましい態様では、洗浄水量調整量修正手段の固定位置の調整によって弁体部材の駆動量を修正することにより、洗浄水の瞬間流量が調整される。このため、洗浄水の瞬間流量を調整する作業においては、洗浄水量調整量修正手段の位置、及びその変化の方向を目視で確認しながら、容易に調整を行うことができる。
【００１８】
本発明に係る流路開閉装置では、前記調整量修正手段は、流路開閉装置に対して外部から連通した状態で固定されており、前記調整量修正手段の固定位置は外部から調整可能であることも好ましい。
【００１９】
この好ましい態様では、調整量修正手段の固定位置を、流路開閉装置の外部から調整することが可能となる。このため、流路開閉装置を分解しての調整や、調整後の再組立てが不要となるため、調整作業がさらに容易となる。
【００２０】
本発明に係る流路開閉装置では、前記調整量修正手段は、その軸方向が前記弁体部材の駆動方向と一致するように配置された螺子部を有しており、前記螺子部が流路開閉装置に対して螺合した状態で固定されていることも好ましい。
【００２１】
この好ましい態様では、螺子部を回転させるという簡便な方法により、調整量修正手段の固定位置を調整することが可能となる。このため、特殊な工具や専門知識を要することなく、容易に調整作業を行うことができる。
【発明の効果】
【００２２】
本発明によれば、大便器に洗浄水を供給する流路開閉装置であって、大便器に供給する洗浄水の瞬間流量を給水圧によらず略一定量に保つことを可能としながら、洗浄水の瞬間流量を調整することが可能な流路開閉装置を提供することができる。
【図面の簡単な説明】
【００２３】
【図１】本発明の実施形態であるフラッシュバルブを大便器への給水管に取り付けた状態を示す外観図である。
【図２】本発明の第一実施形態であるフラッシュバルブの内部構造を模式的に示す概略構成図である。
【図３】図２に示すフラッシュバルブの定流量弁体を示す側面図である。
【図４】図２に示すフラッシュバルブの定流量弁体を示す斜視図である。
【図５】図２に示すフラッシュバルブの吐水動作を示す図である。
【図６】図２に示すフラッシュバルブの吐水動作を示す図である。
【図７】図２に示すフラッシュバルブの吐水動作を示す図である。
【図８】図２に示すフラッシュバルブの吐水動作を示す図である。
【図９】図２に示すフラッシュバルブの吐水動作を示す図である。
【図１０】図２に示すフラッシュバルブの吐水動作が、第二位置調整部材の位置により変化する様子を説明するための図である。
【図１１】図２に示すフラッシュバルブの吐水動作が、第二位置調整部材の位置により変化する様子を説明するための図である。
【図１２】図２に示すフラッシュバルブの吐水動作が、第二位置調整部材の位置により変化する様子を説明するための図である。
【図１３】図２に示すフラッシュバルブの吐水動作が、第二位置調整部材の位置により変化する様子を説明するための図である。
【図１４】図２に示すフラッシュバルブの吐水動作が、第二位置調整部材と第三位置調整部材の位置により変化する様子を説明するための図である。
【図１５】図２に示すフラッシュバルブの吐水動作が、第二位置調整部材と第三位置調整部材の位置により変化する様子を説明するための図である。
【図１６】図２に示すフラッシュバルブの吐水動作が、第二位置調整部材と第三位置調整部材の位置により変化する様子を説明するための図である。
【図１７】図２に示すフラッシュバルブの吐水動作が、第二位置調整部材と第三位置調整部材の位置により変化する様子を説明するための図である。
【発明を実施するための形態】
【００２４】
以下、添付図面を参照しながら本発明の実施の形態について説明する。説明の理解を容易にするため、各図面において同一の構成要素に対しては可能な限り同一の符号を付して、重複する説明は省略する。
【００２５】
本発明の実施形態であるフラッシュバルブ（流路開閉装置）について図１に示す。図１は、本発明の実施形態であるフラッシュバルブを大便器への給水管に取り付けた状態を示す外観図である。図１に示されるように、フラッシュバルブＳＶ（流路開閉装置）は、大便器ＳＢへの給水管ＴＢの途中に取り付けられている。フラッシュバルブＳＶは、給水を開始する指示を受けることで、給水管ＴＢを経由する流路を開いて大便器ＳＢに給水を開始する。その後、フラッシュバルブＳＶは、所定の条件を満たすことで自律的に流路を閉じて給水を停止する。
【００２６】
大便器ＳＢは、封水部ＳＷが設けられている。封水部ＳＷには常時溜水がなされ、封水が形成されている。大便器ＳＢを使用すると、封水部ＳＷに汚物が投入される。大便器ＳＢの使用後にフラッシュバルブＳＶを操作すると、フラッシュバルブＳＶから略一定の瞬間流量で洗浄水が供給される。この洗浄水によって、封水部ＳＷの溜水及び汚物が流される。本実施形態の場合、大便器ＳＢはサイフォン方式の便器であるので、サイフォン現象によって洗浄水は汚物と共に下流側へ吸引される。本実施形態のフラッシュバルブＳＶは、洗浄後に封水部ＳＷにリフィル水を供給するように構成されている。
【００２７】
フラッシュバルブＳＶは、本体部１０と、電磁弁８２とを備えている。本体部１０内には、給水管ＴＢに繋がる一次側内部流路２０と、大便器ＳＢに繋がる二次側内部流路３０とが形成されている。本体部１０内には弁体部材４０が配置されている。弁体部材４０は、一次側内部流路２０と二次側内部流路３０との間の流路開閉を行うものである。電磁弁８２は、バイパス流路８０に設けられている。電磁弁８２を開くことで、弁体部材４０の背圧が下がり開弁される。本実施形態では、給水管ＴＢにおいて、フラッシュバルブＳＶよりも上流側には止水栓Ｖが、フラッシュバルブＳＶよりも下流側であって大便器ＳＢよりも上流側にはバキュームブレーカーＶＢが、それぞれ配置されている。
【００２８】
続いて、本発明の第一実施形態であるフラッシュバルブＳＶの内部構造について、図２を参照しながら説明する。図２は、フラッシュバルブＳＶの内部構造を模式的に示す概略構成図である。
【００２９】
図２に示されるように、フラッシュバルブＳＶは、本体部１０を備えている。本体部１０の内部には、一次側内部流路２０と、二次側内部流路３０と、背圧室１４と、副背圧室１２とが形成されている。一次側内部流路２０は、給水元である一次側流路（図１に示す給水管ＴＢのフラッシュバルブＳＶよりも上流側の流路）から流入水Ｗａを受け入れて、二次側内部流路３０に向けて流出させるものである。一次側内部流路２０の上流端には流入口２１が設けられている。流入口２１は、流入水Ｗａを受け入れて一次側内部流路２０に送り出す開口部である。
【００３０】
二次側内部流路３０は、一次側内部流路２０から流入する水を給水先である二次側流路（図１に示す給水管ＴＢのフラッシュバルブＳＶよりも下流側の流路）に流出水Ｗｂとして流出させるものである。二次側内部流路３０の下流端には流出口３１が設けられている。流出口３１は、二次側内部流路３０から二次側流路へ流出水Ｗｂを送り出す開口部である。
【００３１】
一次側内部流路２０と二次側内部流路３０との間には、弁体部材４０が配置されている。弁体部材４０は、下流側の一端が二次側内部流路３０に挿入されており、その反対側の他端が背圧室１４に臨むように配置されている。弁体部材４０は、二次側内部流路３０の下流方向に沿って進退自在に配置されている。弁体部材４０は、その上部に設けられた主弁体４２と、その下部に設けられた定流量弁体４４とからなり、両者が一体となって構成されている。
【００３２】
主弁体４２は、一次側内部流路２０と二次側内部流路３０との間の流路開閉を行うためのものである。主弁体４２は下流側の面において、主弁体面４２１を有している。弁体部材４０が最も下流側に押し込まれると、主弁体面４２１が一次側内部流路２０の二次側内部流路３０に対する境界面に当接し、一次側内部流路２０と二次側内部流路３０との間の水の流通を遮断するように構成されている。従って、主弁体面４２１が当接する境界面は、主弁座面２０１（主弁座）として機能している。
【００３３】
定流量弁体４４は、一次側内部流路２０から二次側内部流路３０へ流れる水の瞬間流量を調整するためのものである。定流量弁体４４はまた、その外側面４４１において、溝状に形成されたスリット４４２を有している。
【００３４】
この定流量弁体４４の構造を、図３及び図４を参照しながら詳しく説明する。図３は、定流量弁体４４の側面図であって、図４は定流量弁体４４の斜視図である。定流量弁体４４の外側面４４１には、均等な間隔で４つのスリット４４２が形成されている。各スリット４４２は、断面が矩形の有底な溝であり、外側面４４１の下端から中程まで形成されている。スリット４４２においては、その幅および、溝深さは高さによらず一定である。
【００３５】
さらに、定流量弁体４４のの外側面４４１は、端面４７０と端面４７１にかけて下方に行くほどに径が狭く絞られている。一方、側面４８０は端面４７０から径は高さによらず一定である。
【００３６】
再び図２に戻って説明する。定流量弁体４４の外側面４４１は、二次側内部流路３０の内側壁と近接して対抗している。従って、弁体部材４０が、一次側内部流路２０と二次側内部流路３０との間に水を通すように上昇（背圧室１４へ入り込む方向、後退方向、開弁方向）すると、水が二次側内部流路３０へと流入するが、その流路は二つ存在することとなる。
【００３７】
流路は、二次側内部流路３０の内側壁とスリット４４２、および、外側面４４１により形成された空間を通過し、二次側内部流路３０へと流入する流路である。弁体部材４０が、一次側内部流路２０と二次側内部流路３０との間に水を通すように上昇（背圧室１４へ入り込む方向、後退方向、開弁方向）すると、一次側内部流路２０からスリット４４２、および、に水が流入する。このとき、弁体部材４０が上昇するほど、水はスリット４４２、および、外側面４４１の下部に対して流入することとなる。外側面４４１は下方に行くほど幅が狭くなっているため、水の流路断面積は広くなり、流量を増やすように作用する。弁体部材４０が、一次側内部流路２０と二次側内部流路３０との間に水を通すように上昇（背圧室１４へ入り込む方向）し、その後下降（流出口３１へ向かう方向、前進方向、閉弁方向）すると、水はスリット４４２の上部に対して流入することとなる。その結果、水の流路断面積は狭くなり、流量を絞るように作用する。
【００３８】
主弁体４２には、その上部側において収容凹部４６が設けられている。収容凹部４６は、背圧室１４側から後退するように凹状に形成されている。収容凹部４６の背圧室１４側には、副弁座４６５が設けられている。収容凹部４６は、孔４６１と、凹部４６２と、副孔４６３（背圧流路）と、が形成されている。
【００３９】
孔４６１は、一次側内部流路２０と凹部４６２とを繋ぐ連通孔として形成されている。凹部４６２は、バネ５０と、副弁桿４８とを収容している。凹部４６２内には、副弁桿４８の先端の大径部４８１が配置されている。大径部４８１は、バネ５０と当接しており、バネ５０を介して弁体部材４０を流出口３１に向けて付勢している。
【００４０】
副弁桿４８は、棒状に延びる小径部４８３と、小径部４８３の先端に設けられている大径部４８１とを有している。小径部４８３は、副弁座４６５に設けられた連通路４６４（背圧流路）を貫通している。連通路４６４と小径部４８３との間には、通水可能な隙間が形成される。従って、孔４６１から凹部４６２に流入した水は、連通路４６４を通って背圧室１４へと流れる。また、孔４６１を通った水の一部は、副孔４６３を通って背圧室１４へと流れる。尚、連通路４６４が閉鎖されている場合は、孔４６１を通った全ての水が副孔４６３を通って背圧室１４へと流れる。
【００４１】
背圧室１４と副背圧室１２とは、第一位置調整部材６０によって仕切られて分離されている。第一位置調整部材６０には凹部６０１が設けられている。凹部６０１は、背圧室１４に向けてその外壁が突出する凹部として形成されている。凹部６０１の下端には、連通路６０２が形成されている。凹部６０１の背圧室１４側には、線形特性を有するバネ７０が配置されている。バネ７０は、一端が凹部６０１内に収容され、他端は第二位置調整部材６５に当接するように配置されている。
【００４２】
第二位置調整部材６５は、その一端側に円盤状に形成されたプレート部６５１を有している。第二位置調整部材６５は、バネ７０の巻き線の中心を貫通するように配置され、本体部１０に固定されている。
【００４３】
第二位置調整部材６５の固定方法について説明する。本体部１０の最上部には、その中央において上方に突出した突出部１０１が形成されている。突出部１０１の中心には、その中心軸が鉛直方向である貫通穴１０２が形成され、この貫通穴１０２に対し、第二位置調整部材６５が挿入された状態で螺旋固定されている。第二位置調整部材６５は保持部１０３を備え、その中心には貫通孔１０２と共通の中心軸を持つ貫通孔１０４が形成されている。
【００４４】
貫通孔１０４は、上から順に第一保持部１０４ａ、第二保持部１０４ｂを有する。第二保持部１０４ｂの内周には雌螺子部１０５が形成されている。第二保持部１０４ｂの内径は、第一保持部１０４ａの内径よりも大きく形成されており、第一保持部１０４ａと第二保持部１０４ｂとの境界部には段差面１０６が形成されている。
【００４５】
使用者がレンチなどの工具で突出部１０１を回転させることで、第二位置調整部材６５の位置を上下方向に調整することが可能となっている。
突出部１０１には、その外側面から第二位置調整部材６５に通じる貫通孔であって、その内周面に雌螺子が形成された固定孔１０７が形成されている。このため、使用者は第二位置調整部材６５の位置を上下方向に調整した後、固定孔１０７に図示しないイモ螺子を挿入することにより、それ以降において第二位置調整部材６５が本体部１０に対して回転してしまうことを防止することができる。
【００４６】
次に、第三位置調整部材６６の固定方法について説明する。第三位置調整部材６６は貫通穴１０４に対し、挿入された状態で螺旋固定されている。
固定された状態で、第三位置調整部材６６の下端は副弁桿４８の小径部４８３の一端と当接したり離隔したりするように配置されている。  
【００４７】
第三位置調整部材６６は、棒状のシャフト部６５２を有しており、シャフト部６５２が、第一保持部１０４ａ、第二保持部１０４ｂを貫くように配置されている。シャフト部６５２は、上から順に第一シャフト部６５２ａ、第二シャフト部６５２ｂを有する。
【００４８】
第一シャフト部６５２aは、シャフト部６５２の軸を中心として第三位置調整部材６６を回転させると、第三位置調整部材６６の位置は上下に移動することとなる。
【００４９】
第二シャフト部６５２bは、外径が第二保持部１０４ｂの内径よりもわずかに小さく、その外周に雄螺子部６６７を有しており、第二保持部１０４ｂ内に配置された状態で、雄螺子部６６７が第二保持部１０４ｂの雌螺子部１０５に螺合している。第二シャフト部６５２bはその上部においてシール溝６５４が形成されており、シール溝６５４にはＯリング６５５を保持している。Ｏリング６５５は、シール溝６５４の底部と第二保持部１０４ｂの内面に当接しており、背圧室１４の水が本体部１０の外部に漏出することを防止している。
【００５０】
第一シャフト部６５２aにはすり割り６６６が形成されており、使用者が精密ドライバーなどの工具を用いて第三位置調整部材６６を回転させることで、第三位置調整部材６６の位置を、第二位置調整部材６５に対して上下方向に調整することが可能となっている。第一シャフト部６５２aと第二シャフト部６５２ｂとの境界部には、段差面６５６が形成されている。このため、第三位置調整部材６６の位置を調整できる範囲は、段差面６５６が段差面１０６に当接する位置がその上限であり、Ｏリング６５５が第二保持部１０４ｂの下端に来る位置がその下限である。
【００５１】
第一シャフト部６５２ｂには、その外側面から第三位置調整部材６６に通じる貫通孔であって、その内周面に雌螺子が形成された固定孔１０８が形成されている。このため、使用者は第三位置調整部材６６の位置を上下方向に調整した後、固定孔１０８に図示しないイモ螺子を挿入することにより、それ以降において第三位置調整部材６６が第二位置調整部材６５に対して回転してしまうことを防止することができる。
【００５２】
以上のように、第二位置調整部材６５、および、第三位置調整部材６６はフラッシュバルブＳＶの本体部１０に対して外部から連通した状態で固定されている。また、第二位置調整部材６５の固定位置は、外部からレンチ等の工具を用いて、また、第三位置調整部材６６は外部から精密ドライバー等の工具を用いて調整することができる。
【００５３】
第一位置調整部材６０は、副背圧室１２と背圧室１４との圧力差によって押される力とバネ７０がそれに対抗しようとする力、及び第一調整部材６０と弁体部材４０に掛かる摺動抵抗とのバランスによって、副背圧室１２を広げる（背圧室１４を狭める）ように摺動したり、副背圧室１２を狭める（背圧室１４を広げる）ように摺動したりするように構成されている。背圧室１４に入った水は、連通路６０２を通じてバイパス流路８０側へと流れる。
【００５４】
副背圧室１２には一次側内部流路２０にかかる一次圧と同じ圧力がかかるように構成されている。具体的には、一次側内部流路２０と副背圧室１２とが副一次流路２２によってつながれており、一次圧が副背圧室１２に伝達されている。
【００５５】
背圧室１４と二次側内部流路３０とは、バイパス流路８０によって繋がっている。バイパス流路８０には電磁弁８２が設けられている。電磁弁８２が閉じられていれば、背圧室１４の内部には一次圧がかかっている。一方、電磁弁８２が開けられると、背圧室１４の水がバイパス流路８０から二次側内部流路３０に流出し、背圧室１４の内部圧力が低下する。
【００５６】
続いて、フラッシュバルブＳＶの動作について、図５〜図９を参照しながら説明する。図５〜図９は、図２に示すフラッシュバルブＳＶの吐水動作を示す図である。図５〜図９それぞれの（Ａ）は給水圧が低圧の状態を示し、図５〜図９それぞれの（Ｂ）は給水圧が高圧の状態を示し、図５〜図９それぞれの（Ｃ）は弁体部材４０のリフト量と副孔４６３及び連通路４６４の合算面積（小穴面積）と大便器ＳＢ側に流れる瞬間流量を示している。図５〜図９それぞれの（Ｃ）において、実線は給水圧が低い場合を示し、破線は給水圧が高い場合を示している。
【００５７】
図５の（Ａ）（Ｂ）（Ｃ）に示されるように、電磁弁８２が閉じられていると、背圧室１４及び副背圧室１２には、一次側内部流路２０と同じ一次圧がかかっている。弁体部材４０の主弁体４２も一次圧によって流出口３１側に押し込まれており、主弁体４２が一次側内部流路２０と二次側内部流路３０の境界面に密着して止水されている。また、副弁体４８２と副弁座４６５は当接しているので、副孔４６３及び連通路４６４の合算面積（小穴面積）は、副孔４６３のみの流路断面積となる。
【００５８】
続いて、図６の（Ａ）（Ｂ）（Ｃ）に示されるように、時刻ｔ１で電磁弁８２が開かれると、まず背圧室１４内の水が流出する。背圧室１４内の水が流出すると、背圧室１４内の圧力が低下する。背圧室１４と副背圧室１２との圧力差が生じるため、第一位置調整部材６０が押し下げられる。第二位置調整部材６５は本体部１０に固定されているため移動しない。バネ７０は、移動しない第二位置調整部材６５と第一位置調整部材６０との間に配置されているため、第一位置調整部材６０が押し下げられるとバネ７０は縮んで反力を発生させる。第一位置調整部材６０が弁体部材４０に近づく量は、第一位置調整部材６０が副背圧室１２と背圧室１４との差圧によって押される力とバネ７０がそれに対抗しようとする力、及び第一調整部材６０と弁体部材４０に掛かる摺動抵抗とのバランスによって定められる。すなわち、第一位置調整部材６０は、第二位置調整部材６５からの距離を一次圧によって変化させるものである。
【００５９】
従って、図６の（Ａ）に示されるように給水圧が低い場合は、第一位置調整部材６０はあまり押し下げられず、図４の（Ｂ）に示されるように給水圧が高い場合は、第一位置調整部材６０は大きく押し下げられる。
【００６０】
背圧室１４内の水が流出すると、弁体部材４０が背圧室１４側に押し上げられる。弁体部材４０の主弁体４２（主弁体面４２１）が主弁座面２０１から離脱するので、一次側内部流路２０から二次側内部流路３０に水が流れる。この一次側内部流路２０から二次側内部流路３０に流れる水の流量は、スリット４４２を通過する流路を流れる流量と定流量弁体４４の外側面４４１を流れる流量とを合わせた流量であって、一次側内部流路２０からスリット４４２、及び、外側面４４１に水が流入する個所における、外側面４４１の外径幅（流路断面積の大きさ）によって調整される。すなわち、弁体部材４０の位置に応じて流路を流れる流量のみが調整される。
【００６１】
第一位置調整部材６０は、弁体部材４０のリフト量（最大変位量）を調整するものであるから、図６の（Ａ）のように比較的少なく押し下げられると弁体部材４０のリフト量は大きくなり、図６の（Ｂ）のように比較的多く押し下げられると弁体部材４０のリフト量は小さくなる。また、副弁体４８２と副弁座４６５は離隔しているので、副孔４６３及び連通路４６４の合算面積（小穴面積）は、副孔４６３及び連通路４６４の流路断面積となる。
【００６２】
図６の（Ａ）のように給水圧が低い場合に弁体部材４０のリフト量が大きくなり、図６の（Ｂ）のように給水圧が高い場合に弁体部材４０のリフト量が小さくなるので、大便器ＳＢ側に供給される洗浄水の瞬間流量は略同一なものとなる。尚、大便器ＳＢに供給される洗浄水の瞬間流量を厳密に同一に保つ必要はなく、ある程度の範囲内での同等の瞬間流量を確保できれば足りるものである。
【００６３】
図７の（Ａ）（Ｂ）（Ｃ）に示されるように、時刻ｔ２で電磁弁８２が閉じられると、副孔４６３及び連通路４６４を通って、背圧室１４内に水が溜まる。副弁体４８２と副弁座４６５は離隔しているので、副孔４６３及び連通路４６４の合算面積（小穴面積）は、副孔４６３及び連通路４６４の流路断面積となる。従って、背圧室１４には一気に多くの水が流入する。
【００６４】
図８の（Ａ）（Ｂ）（Ｃ）に示されるように、副孔４６３及び連通路４６４を通って、背圧室１４内に一気に多くの水が流入すると、弁体部材４０は流出口３１方向に押し下げられる。弁体部材４０が閉弁方向に押し下げられると、副弁体４８２と副弁座４６５が当接し、連通路４６４が閉塞される。副弁体４８２が形成されている副弁桿４８の小径部４８３は、固定されている第二位置調整部材６５に当接しているので、副弁体４８２の位置は給水圧の高低によらずに略一定なものとなる。従って、弁体部材４０は、給水圧の高低によらずに所定の下降基準（基準位置）まで強制的に移動させられる。副弁体４８２と副弁座４６５が当接した後は、背圧室１４内への流入は副孔４６３からのみになる。弁体部材４０は、所定の下降基準まで強制的に移動するときよりも遅い速度で更に押し下げられる。その弁体部材４０の動きに伴い、バネ５０を介して副弁桿４８も一体的に押し下げられる。
【００６５】
弁体部材４０が所定の下降基準（基準位置）まで強制的に移動させられた状態においては、時刻ｔ２以降においては、一次側内部流路２０から二次側内部流路３０に供給される水は、スリット４４２を通過する流路と外側面４４１の外径幅を通過することとなる。
【００６６】
図９の（Ａ）（Ｂ）（Ｃ）に示されるように、主弁体４２が主弁座面２０１に当接するまで弁体部材４０が押し下げられると、流路はいずれも閉じられた状態となるため、大便器ＳＢに対する水の供給が停止される。従って、図８の（Ｃ）から図９の（Ｃ）に至るまでに大便器ＳＢに供給される水が、大便器ＳＢの封水部ＳＷに供給されるリフィル水として用いられる。
【００６７】
このように、リフィル水供給段階開始前に、瞬間流量を減少させることによって、リフィル水供給段階において水を供給しても大便器ＳＢの封水部ＳＷに溜まらずに便器洗浄が行われることを抑制することができる。とくにサイフォン式大便器の場合、リフィル水供給段階における瞬間流量が大きすぎると、サイフォン現象が発生してしまい、便器洗浄が行われる可能性が高くなる。
【００６８】
給水圧が低い場合と高い場合とを比較すると、時刻ｔ２の直後における瞬間流量は、給水圧が低い場合は、給水圧が高い場合よりも小さくなっている。これは、瞬間流量が下記式の関係となることに起因する。
Ｑ＝Ｃｖ√Δｐ
Ｑ：瞬間流量、Ｃｖ：流路抵抗の逆数、Δp：入口と出口の差圧
【００６９】
一方、時刻ｔ２以降、主弁体４２が主弁座面２０１に当接するまで（リフィル水の供給が停止するまで）に要する時間を比較すると、給水圧が低い場合の方が、給水圧が高い場合よりも長くなっている。これは、給水圧が低い場合は弁体部材４０を押し下げる力が弱く、主弁体４２が主弁座面２０１に当接するまで長時間を要するためである。
【００７０】
時刻ｔ２以降、大便器に供給されるリフィル水の総量は、図９の（Ｃ）の瞬間流量のグラフの、時刻ｔ２以降の時間軸と各線との間に挟まれた図形の面積で表される。図９の（Ｃ）で明らかなように、給水圧が低い場合と高い場合とを比較すると、かかる図形の面積はほぼ同じとなっている。従って、給水圧が低い場合も高い場合も、所定の許容範囲内で所定量（大便器ＳＢのタイプによって異なる）のリフィル水を供給することができる。
【００７１】
次に、第二位置調整部材６５の固定位置による、洗浄水の供給量の調整について、図１０〜図１３を参照しながら説明する。図１０〜図１３は、図２に示すフラッシュバルブＳＶの吐水動作を示している。図１０〜図１３それぞれの（Ａ）は、本体部１０に対する第二位置調整部材６５の固定位置（プレート部６５１の高さ）が、これまでの説明で参照した図５等におけるものと同一の位置に調整されている場合を示している。このため、（Ａ）の場合において大便器ＳＢに供給される洗浄水の瞬間流量は、これまでの説明で参照した図５等におけるものと同一である。
【００７２】
一方、図１０〜図１３それぞれの（Ｂ）は、プレート部６５１の高さが（Ａ）に示したものよりも距離ｍだけ低くなるように、第二位置調整部材６５の固定位置が調整されている場合を示している。
【００７３】
図１０〜図１３それぞれの（Ｃ）は、弁体部材のリフト量と、大便器ＳＢ側に流れる洗浄水の瞬間流量のそれぞれの時間変化を示している。図１０〜図１３それぞれの（Ｃ）において、実線はプレート部６５１の高さが（Ａ）の場合を示し、破線はプレート部６５１の高さが（Ｂ）の場合を示している。
【００７４】
以下では、フラッシュバルブＳＶの動作について、及び（Ａ）（Ｂ）それぞれの場合における洗浄水の瞬間流量について説明する。但し、フラッシュバルブＳＶの基本的な動作は図５〜図９を参照しながら既に説明したため、以下では重複する説明の一部を省略し、（Ａ）と（Ｂ）との違いに重点を置いて説明する。
【００７５】
図１０の（Ａ）（Ｂ）（Ｃ）に示されるように、電磁弁８２が閉じられていると、背圧室１４及び副背圧室１２には、一次側内部流路２０と同じ一次圧がかかっている。弁体部材４０の主弁体４２も一次圧によって流出口３１側に押し込まれており、主弁体４２が一次側内部流路２０と二次側内部流路３０の境界面に密着して止水されている。この状態においては、（Ａ）（Ｂ）いずれにおいても、第一位置調整部材６０の位置は最も高い位置となっている。
【００７６】
続いて、図１１の（Ａ）（Ｂ）（Ｃ）に示されるように、時刻ｔ１で電磁弁８２が開かれると、まず背圧室１４内の水が流出する。背圧室１４内の水が流出すると、背圧室１４内の圧力が低下する。背圧室１４と副背圧室１２との圧力差が生じるため、第一位置調整部材６０が押し下げられる。
【００７７】
このとき、バネ７０は縮んで反力を発生させる。図１１では、第一位置調整部材６０が一次圧によって押される力と、かかる反力とが釣り合った状態となっている。換言すると、第一位置調整部材６０は、第二位置調整部材６５からの距離を給水圧によって変化させることとなる。（Ａ）と（Ｂ）とは給水圧が同じであるから、バネ７０の長さは同じとなっている。しかし、プレート部６５１の位置が異なるため、第一位置調整部材６０の位置は（Ｂ）の方が低くなっている。
【００７８】
背圧室１４内の水が流出すると、弁体部材４０が背圧室１４側に押し上げられる。弁体部材４０の主弁体４２（主弁体面４２１）が主弁座面２０１から離脱するので、一次側内部流路２０から二次側内部流路３０に水が流れる。この一次側内部流路２０から二次側内部流路３０に流れる水の瞬間流量は、弁体部材４０のリフト量によって変化する。すなわち、弁体部材４０が背圧室１４側に多く押し上げられる程、主流路（スリット４４２を通過する流路）を流れる水の流路断面積が大きくなり、瞬間流量は大きくなる。
【００７９】
第一位置調整部材６０は、弁体部材４０のリフト量を調整するものであるから、（Ａ）においては弁体部材４０のリフト量は大きくなり、（Ｂ）においては弁体部材４０のリフト量は小さくなる。その結果、図１１の（Ｃ）に示したように、大便器ＳＢ側に供給される洗浄水の瞬間流量は（Ｂ）の方が小さくなっている。すなわち、（Ｂ）においては調整量修正手段である第二位置調整部材６５の固定位置が低い位置に調整されているために、弁体部材４０のリフト量（駆動量）が修正され、洗浄水の瞬間流量が（Ａ）の場合よりも小さくなっている。
【００８０】
その後、時刻ｔ２で電磁弁８２が閉じられると、副孔４６３及び連通路４６４を通って、背圧室１４には一気に多くの水が流入する。図１２の（Ａ）（Ｂ）（Ｃ）に示されるように、背圧室１４内に一気に多くの水が流入すると、弁体部材４０は所定の下降基準（基準位置）まで強制的に移動させられる。既に説明したように、所定の下降基準（基準位置）とは、副弁体４８２と副弁座４６５が当接し、連通路４６４が閉塞される位置である。図１２の（Ｂ）では、副弁桿４８の小径部４８３が当接するプレート部６５１の位置が（Ａ）よりも低いため、（Ｂ）の場合における所定の下降基準（基準位置）は（Ａ）の場合よりも低い位置となる。
【００８１】
弁体部材４０が所定の下降基準（基準位置）まで強制的に移動させられた状態においては、弁体部材４０のリフト量が（A）の方が高く、（B）の方が低いため、外側面４４１の外径幅（流路断面積の大きさ）が異なる状態となっている。このため時刻ｔ２以降においては流路を通過する水の瞬間流量が変化し、また、弁体部材４０の下降時間も変化してしまう。
【００８２】
図１３の（Ａ）（Ｂ）（Ｃ）に示されるように、主弁体４２が主弁座面２０１に当接するまで弁体部材４０が押し下げられると、大便器ＳＢに対する水の供給が停止される。時刻ｔ２における弁体部材４０の位置（下降基準）は、（Ｂ）の場合の方が低いため、主弁体４２が主弁座面２０１に当接する時刻は（Ｂ）の場合の方が早い。従って、時刻ｔ２以降に大便器ＳＢに供給される水、すなわちリフィル水の量は、（Ａ）の場合よりも（Ｂ）の場合の方が少なくなっている。
【００８３】
このように、（Ｂ）の場合は第二位置調整部材６５の固定位置を低い位置に調整することによって、洗浄水の瞬間流量が小さくなっていることに加え、リフィル水の量も同時に小さくなっている。
【００８４】
上述したように、本実施形態の第一位置調整部材６０は、洗浄水量調整手段として機能している。本実施形態では、この洗浄水量調整手段によって、弁体部材４０の駆動量を一次側内部流路２０からの給水圧に応じて調整している。その結果、洗浄水供給段階における洗浄水の瞬間流量は給水圧によって変化しないが、弁体部材４０の下降基準が変わるため、リフィル水が変化してしまう。
【００８５】
次に、第二調整部材６５の固定位置調整後の、第三位置調整部材６6の固定位置による、洗浄水の供給量の調整について、図１４〜図１７を参照しながら説明する。図１４〜図１７は、図２に示すフラッシュバルブＳＶの吐水動作を示している。図１４〜図１７それぞれの（Ａ）は、本体部１０に対する第二位置調整部材６５の固定位置（プレート部６５１の高さ）が、これまでの説明で参照した図５等におけるものと同一の位置に調整されている場合を示している。このため、（Ａ）の場合において大便器ＳＢに供給される洗浄水の瞬間流量は、これまでの説明で参照した図５等におけるものと同一である。
【００８６】
一方、図１４〜図１７それぞれの（Ｂ）は、これまでの説明で参照した図１０〜図１３の（B）におけるものと同一の位置にプレート部６５１の高さを調整し、さらに第三調整部材６６の固定位置をプレート部６５１の高さを調整した高さ分前の位置に戻す、つまり図５〜図９と同一の位置となるように調整した場合を示している。
【００８７】
図１４〜図１７それぞれの（Ｃ）は、弁体部材のリフト量と、大便器ＳＢ側に流れる洗浄水の瞬間流量のそれぞれの時間変化を示している。図１４〜図１７それぞれの（Ｃ）において、実線はプレート部６５１及び第三位置調整部材６６の高さが（Ａ）の場合を示し、破線はプレート部６５１の高さ及び調整部材６６の高さが（Ｂ）の場合を示している。
【００８８】
以下では、フラッシュバルブＳＶの動作について、及び（Ａ）（Ｂ）それぞれの場合における洗浄水の瞬間流量について説明する。但し、フラッシュバルブＳＶの基本的な動作は図５〜図９、第二調整部材６５の固定位置を調整による瞬間流量調整の効果は図１０〜図１３を参照しながら既に説明したため、以下では重複する説明の一部を省略し、（Ａ）と（Ｂ）との違いに重点を置いて説明する。
【００８９】
図１４〜図１５における動作については、図１０〜図１１と同様の動作となっている。
（B）において第二位置調整部材６５の調整によってプレート部６５１の位置が（A）よりも低い位置となっている。これにより、第一位置調整部材６０が押し下げられることで、弁体部材４０のリフト量が変化する。ここではスリット４４２と外側面４４１の外径幅による流路断面積の大きさ小さくなることで、一次側内部流路２０から二次側内部流路３０に流れる水の瞬間流量が調整される。
【００９０】
その後、時刻ｔ２で電磁弁８２が閉じられると、副孔４６３及び連通路４６４を通って、背圧室１４には一気に多くの水が流入する。図１６の（Ａ）（Ｂ）（Ｃ）に示されるように、背圧室１４内に一気に多くの水が流入すると、弁体部材４０は所定の下降基準（基準位置）まで強制的に移動させられる。
既に説明したように、所定の下降基準（基準位置）とは、副弁体４８２と副弁座４６５が当接し、連通路４６４が閉塞される位置である。図１６の（Ｂ）では、副弁桿４８の小径部４８３が当接するプレート部６５１の位置が（Ａ）と同じ位置にあるため、（Ｂ）の場合における所定の下降基準（基準位置）は（Ａ）の場合と同等の位置となる。
【００９１】
弁体部材４０が所定の下降基準（基準位置）まで強制的に移動させられた状態においては、弁体部材４０のリフト量は（A）と（B）は同等である為、外側面４４１の外径幅（流路断面積の大きさ）は同じ状態となっている。このため時刻ｔ２以降においては流路を通過する水の瞬間流量は同一であり、また、弁体部材４０の下降時間も同一となる。
【００９２】
図１７の（Ａ）（Ｂ）（Ｃ）に示されるように、主弁体４２が主弁座面２０１に当接するまで弁体部材４０が押し下げられると、大便器ＳＢに対する水の供給が停止される。時刻ｔ２における弁体部材４０の位置（下降基準）は、（A）（Ｂ）ともに同一のため、主弁体４２が主弁座面２０１に当接する時刻は（A）（Ｂ）ともにこれも同一である。従って、時刻ｔ２以降に大便器ＳＢに供給される水、すなわちリフィル水の量は、（Ａ）の場合も（Ｂ）の場合も同一となる。
【００９３】
このように、（Ｂ）の場合は第二位置調整部材６５の固定位置を低い位置に調整することによって、洗浄水の瞬間流量が小さくなっていることに加え、さらに、第三位置調整部材６６の固定位置を第二位置調整部材６５を調整する前の位置に調整することによって、リフィル水の量を一定に維持している。
【００９４】
上述したように、本実施形態の第一位置調整部材６０は、本願発明の洗浄水量調整手段として機能している。本実施形態では、この洗浄水量調整手段によって、弁体部材４０の駆動量を一次側内部流路２０からの給水圧に応じて調整している。その結果、洗浄水供給段階における洗浄水の瞬間流量は給水圧によって変化せず、所定流量に保たれた状態で給水を行うことができる。
【００９５】
また、本実施形態の第二位置調整部材６５は、本願発明の調整量修正手段として機能している。本実施形態では、この洗浄水量調整量修正手段によって、洗浄水の瞬間流量が設計値から外れたような場合であっても、洗浄水量調整量修正手段によって調整することが可能である。従って、無駄水が生じることや、逆に給水量が不足して封水切れや洗浄不良が生じることが確実に防止される。
【００９６】
また、本実施形態の第三位置調整部材６６は、本願発明のリフィル量調整量修正手段として機能している。本実施形態では、このリフィル量調整量修正手段によって、洗浄水量調整量修正手段で瞬間流量を設計値に調整した際に生じるリフィル水のばらつきを調整することが可能である。従って、無駄水が生じることや、逆に給水量が不足して封水切れや洗浄不良が生じることが確実に防止される。
【００９７】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００９８】
ＳＶ：フラッシュバルブ（流路開閉装置）
ＳＢ：大便器
ＳＷ：封水部
ＴＢ：給水管
Ｖ：止水栓
１０：本体部
１０１：突出部
１０２：貫通穴
１０３：保持部材
１０４：貫通孔
１０４ａ：第一保持部
１０４ｂ：第二保持部
１０５：雌螺子部
１０６：段差面
１０７：固定孔
１２：副背圧室
１４：背圧室
２０：一次側内部流路
２０１：主弁座面（主弁座）
２１：流入口
２２：副一次流路
３０：二次側内部流路
３１：流出口
４０：弁体部材
４２：主弁体
４２１：主弁体面
４４：定流量弁体
４４１：外側面
４４２：スリット
４４３：孔
４４４：孔
４４５：弁内空間
４４６：天面
４４７：側壁面
４４８：上部側壁面
４４９：下部側壁面
４６：収容凹部
４６１：孔
４６２            凹部
４６３：副孔（背圧流路）
４６４：連通路（背圧流路）
４６５            副弁座
４８：副弁桿
４８１：大径部
４８２：副弁体
４８３：小径部
５０：バネ
６０：第一位置調整部材
６０１：凹部
６０２：連通路
６５：第二位置調整部材
６５１：プレート部
６５２：シャフト部
６５２ａ：第一シャフト部
６５２ｂ：第二シャフト部
６５２ｃ：第三シャフト部
６５３：雄螺子部
６５４：シール溝
６５５：リング
６５６：段差面
７０：バネ
８０：バイパス流路
８２：電磁弁
Ｗａ：流入水
Ｗｂ：流出水
【図１】
0005807845.tif 000002
【図２】
0005807845.tif 000003
【図３】
0005807845.tif 000004
【図４】
0005807845.tif 000005
【図５】
0005807845.tif 000006
【図６】
0005807845.tif 000007
【図７】
0005807845.tif 000008
【図８】
0005807845.tif 000009
【図９】
0005807845.tif 000010
【図１０】
0005807845.tif 000011
【図１１】
0005807845.tif 000012
【図１２】
0005807845.tif 000013
【図１３】
0005807845.tif 000014
【図１４】
0005807845.tif 000015
【図１５】
0005807845.tif 000016
【図１６】
0005807845.tif 000017
【図１７】
0005807845.tif 000018